(57)【要約】【課題】吸収性本体がベルト部の収縮の影響を受け難いパンツ型吸収性物品を提供すること。【解決手段】吸収性本体（１０）と一対のベルト部（２０，３０）を有するパンツ型吸収性物品（１）であり、ベルト部（２０，３０）は、肌側シート（２１，３１）と非肌側シート（２２，３２）の間に接着剤で接合されている横方向に伸縮可能な弾性部材（２３，３３）を有し、吸収性本体（１０）の長手方向の端部の非肌側面と、肌側シート（２１，３１）の肌側面とが接合されている一対の接合領域（６０）を有し、肌側シート（２１，３１）の繊維の坪量が非肌側シート（２２，３２）の繊維の坪量よりも大きく、単位長さ当たりの弾性部材（２３，３３）と肌側シート（２１，３１）を接合している接着剤の量が、単位長さ当たりの弾性部材（２３，３３）と非肌側シート（２２，３２）を接合している接着剤の量よりも少ない。【選択図】図５
2018102654.tif 000002
【特許請求の範囲】
【請求項１】
縦方向と横方向と厚さ方向とを有し、
長手方向に二つ折りされ、前記長手方向が前記縦方向に沿う吸収性本体と、
前記横方向に沿う一対のベルト部と、を有するパンツ型吸収性物品であって、
前記ベルト部は、肌側シートと、非肌側シートと、前記肌側シートと前記非肌側シートの間に接着剤で接合されている前記横方向に伸縮可能な弾性部材とを有し、
前記吸収性本体の前記長手方向の端部の非肌側面と、前記肌側シートの肌側面とが接合されている一対の接合領域を有し、
前記肌側シートの繊維の坪量が、前記非肌側シートの繊維の坪量よりも大きく、
単位長さ当たりの前記弾性部材と前記肌側シートを接合している前記接着剤の量が、前記単位長さ当たりの前記弾性部材と前記非肌側シートを接合している前記接着剤の量よりも少ないこと、を特徴とするパンツ型吸収性物品。
【請求項２】
請求項１に記載のパンツ型吸収性物品であって、
前記一対の接合領域の少なくとも一方は、前記横方向に長さを有する一対の第１領域と、前記一対の第１領域の前記横方向の端部を繋ぎ、前記縦方向に長さを有する一対の第２領域とを有し、
前記一対の第１領域の間であり前記一対の第２領域の間に、前記吸収性本体と前記肌側シートが接合されていない非接合領域を有すること、を特徴とするパンツ型吸収性物品。
【請求項３】
請求項２に記載のパンツ型吸収性物品であって、
前記一対の第１領域のうち下方の前記第１領域に比べて前記非接合領域の方が、前記縦方向の長さが長いこと、を特徴とするパンツ型吸収性物品。
【請求項４】
請求項２又は請求項３に記載のパンツ型吸収性物品であって、
前記一対の第１領域のうち下方の前記第１領域に比べて上方の前記第１領域の方が、前記縦方向の長さが長いこと、を特徴とするパンツ型吸収性物品。
【請求項５】
請求項２から請求項４の何れか１項に記載のパンツ型吸収性物品であって、
前記一対の接合領域のうち着用者の腹側に位置する前記接合領域は前記非接合領域を有し、着用者の背側に位置する前記接合領域は前記非接合領域を有さないこと、を特徴とするパンツ型吸収性物品。
【請求項６】
請求項１から請求項５の何れか１項に記載のパンツ型吸収性物品であって、
前記ベルト部において、複数の前記弾性部材が前記縦方向に並んで配されており、
前記厚さ方向に前記吸収性本体と重複する全ての前記弾性部材が、前記接合領域と前記厚さ方向に重複していること、を特徴とするパンツ型吸収性物品。
【請求項７】
請求項１から請求項６の何れか１項に記載のパンツ型吸収性物品であって、
前記ベルト部において、複数の前記弾性部材が前記縦方向に並んで配されており、
着用者の背側に位置する前記ベルト部は、着用者の腹側に位置する前記ベルト部よりも下方に突出する突出領域を有し、
前記突出領域に配された前記弾性部材と前記厚さ方向に重複する前記接合領域の部位は、その他の前記弾性部材と前記厚さ方向に重複する前記接合領域の部位に比べて、前記横方向の長さが短いこと、を特徴とするパンツ型吸収性物品。
【請求項８】
請求項７に記載のパンツ型吸収性物品であって、
前記突出領域に配された複数の前記弾性部材のうち、下方の前記弾性部材と前記厚さ方向に重複する前記接合領域の部位は、上方の前記弾性部材と前記厚さ方向に重複する前記接合領域の部位に比べて、前記横方向の長さが短いこと、を特徴とするパンツ型吸収性物品。
【請求項９】
請求項１から請求項８の何れか１項に記載のパンツ型吸収性物品であって、
前記吸収性本体は吸収体を有し、
着用者の腹側に位置する吸収体の部位と、着用者の背側に位置する吸収体の部位とのうちの少なくとも一方が、着用者の股間部に位置する前記吸収体の部位に比べて厚いこと、を特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、例えば特許文献１には、外装体と、外装体の内面側に固定された吸収性本体とを備え、外装体における腹側部の両側部と背側部の両側部とが接合されて一対のサイドシール部が形成されているパンツ型おむつが開示されている。特許文献１では、外装体を構成する最外層シートのＭＦＲ（溶融状態にある樹脂の流動性）を最内層シートのＭＦＲよりも大きくすることで、サイドシール部の接合強度を高めつつ、外側の柔軟性を得ている。また、最内層シートの溶融状態の均一化の観点から、最内層シートの坪量（目付）を最外層シートよりも小さくすることが好ましいとしている。
【先行技術文献】
【特許文献】
【０００３】
【特許文献１】特開２０１３−１０２８８６号
【発明の概要】
【発明が解決しようとする課題】
【０００４】
パンツ型吸収性物品では、外装体の腹側部及び背側部（ベルト部）が着用者の胴回りにフィットするように、最外層シート（非肌側シート）と最内層シート（肌側シート）の間に弾性部材が横方向に伸長状態で固定されている。また、最内層シートに吸収性本体が固定されている。そのため、上記特許文献１のように、最内層シートの坪量が小さいと、弾性部材の収縮力が最内層シートで緩衝され難く、吸収性本体に伝達され易くなる。弾性部材の収縮の影響を受けて吸収性本体が収縮すると、吸収性本体に皺が生じ、排泄物が漏れ易くなったり、着け心地が低下したりしてしまう。
【０００５】
本発明は、上記のような従来の問題に鑑みてなされたものであって、その目的は、吸収性本体がベルト部の収縮の影響を受け難いパンツ型吸収性物品を提供することにある。
【課題を解決するための手段】
【０００６】
上記目的を達成するための主たる発明は、縦方向と横方向と厚さ方向とを有し、長手方向に二つ折りされ、前記長手方向が前記縦方向に沿う吸収性本体と、前記横方向に沿う一対のベルト部と、を有するパンツ型吸収性物品であって、前記ベルト部は、肌側シートと、非肌側シートと、前記肌側シートと前記非肌側シートの間に接着剤で接合されている前記横方向に伸縮可能な弾性部材とを有し、前記吸収性本体の前記長手方向の端部の非肌側面と、前記肌側シートの肌側面とが接合されている一対の接合領域を有し、前記肌側シートの繊維の坪量が、前記非肌側シートの繊維の坪量よりも大きく、単位長さ当たりの前記弾性部材と前記肌側シートを接合している前記接着剤の量が、前記単位長さ当たりの前記弾性部材と前記非肌側シートを接合している前記接着剤の量よりも少ないこと、を特徴とするパンツ型吸収性物品である。
本発明の他の特徴については、本明細書及び添付図面の記載により明らかにする。
【発明の効果】
【０００７】
本発明によれば、吸収性本体がベルト部の収縮の影響を受け難いパンツ型吸収性物品を提供することができる。
【図面の簡単な説明】
【０００８】
【図１】第１実施形態のパンツ型使い捨ておむつ１の概略正面図である。
【図２】展開且つ伸長状態のおむつ１を肌側から見た概略平面図である。
【図３】図２のＡＡ線の概略断面図である。
【図４】図２のＢＢ線の概略断面図である。
【図５】弾性部材２３，３３と肌側シート２１，３１及び非肌側シート２２，３２とを接合している接着剤５０，５１の量の説明図である。
【図６】接合領域６０の説明図である。
【図７】図７Ａは第１塗布領域６４の説明図であり、図７Ｂは第２塗布領域６５の説明図である。
【図８】第２実施形態のおむつ１の接合領域６０の説明図である。
【発明を実施するための形態】
【０００９】
本明細書及び添付図面の記載により、少なくとも以下の事項が明らかとなる。
縦方向と横方向と厚さ方向とを有し、長手方向に二つ折りされ、前記長手方向が前記縦方向に沿う吸収性本体と、前記横方向に沿う一対のベルト部と、を有するパンツ型吸収性物品であって、前記ベルト部は、肌側シートと、非肌側シートと、前記肌側シートと前記非肌側シートの間に接着剤で接合されている前記横方向に伸縮可能な弾性部材とを有し、前記吸収性本体の前記長手方向の端部の非肌側面と、前記肌側シートの肌側面とが接合されている一対の接合領域を有し、前記肌側シートの繊維の坪量が、前記非肌側シートの繊維の坪量よりも大きく、単位長さ当たりの前記弾性部材と前記肌側シートを接合している前記接着剤の量が、前記単位長さ当たりの前記弾性部材と前記非肌側シートを接合している前記接着剤の量よりも少ないこと、を特徴とするパンツ型吸収性物品である。
【００１０】
このようなパンツ型吸収性物品によれば、肌側シートのクッション性が高く、且つ、そのクッション性が接着剤で阻害され難いため、弾性部材の収縮力が肌側シートにて緩衝され易い。よって、吸収性本体はベルト部の収縮の影響を受け難く、吸収性本体に皺が生じ難くなる。
【００１１】
かかるパンツ型吸収性物品であって、前記一対の接合領域の少なくとも一方は、前記横方向に長さを有する一対の第１領域と、前記一対の第１領域の前記横方向の端部を繋ぎ、前記縦方向に長さを有する一対の第２領域とを有し、前記一対の第１領域の間であり前記一対の第２領域の間に、前記吸収性本体と前記肌側シートが接合されていない非接合領域を有すること、を特徴とするパンツ型吸収性物品である。
【００１２】
このようなパンツ型吸収性物品によれば、非接合領域により、吸収性本体とベルト部の接合領域が小さくなり、吸収性本体はベルト部の収縮の影響をより受け難くなる。また、一対の第１領域により、ベルト部の下端部と吸収性本体の上端部のめくれを防止できる。また、吸収性物品の引き上げ時、一対の第２領域により、引き上げ力がベルト部から吸収性本体に伝達され易く、吸収性本体を引き上げ易い。
【００１３】
かかるパンツ型吸収性物品であって、前記一対の第１領域のうち下方の前記第１領域に比べて前記非接合領域の方が、前記縦方向の長さが長いこと、を特徴とするパンツ型吸収性物品である。
【００１４】
このようなパンツ型吸収性物品によれば、吸収性本体とベルト部の接合領域がより小さくなり、吸収性本体はベルト部の収縮の影響をより受け難くなる。
【００１５】
かかるパンツ型吸収性物品であって、前記一対の第１領域のうち下方の前記第１領域に比べて上方の前記第１領域の方が、前記縦方向の長さが長いこと、を特徴とするパンツ型吸収性物品である。
【００１６】
このようなパンツ型吸収性物品によれば、吸収性本体とベルト部の接合領域がより小さくなり、吸収性本体はベルト部の収縮の影響をより受け難くなる。一方、吸収性本体の上端部はベルト部にしっかりと接合されるため、吸収性本体のめくれによる着け心地の低下を防止できる。
【００１７】
かかるパンツ型吸収性物品であって、前記一対の接合領域のうち着用者の腹側に位置する前記接合領域は前記非接合領域を有し、着用者の背側に位置する前記接合領域は前記非接合領域を有さないこと、を特徴とするパンツ型吸収性物品である。
【００１８】
このようなパンツ型吸収性物品によれば、就寝時の擦れ等により背側のベルト部は腹側のベルト部に比べると吸収性本体から分離し易いが、背側のベルト部が吸収性本体にしっかりと接合される。且つ、吸収性本体は腹側のベルト部の収縮の影響を受け難くなる。
【００１９】
かかるパンツ型吸収性物品であって、前記ベルト部において、複数の前記弾性部材が前記縦方向に並んで配されており、前記厚さ方向に前記吸収性本体と重複する全ての前記弾性部材が、前記接合領域と前記厚さ方向に重複していること、を特徴とするパンツ型吸収性物品である。
【００２０】
このようなパンツ型吸収性物品によれば、接合領域と重複しない弾性部材が大きく収縮することによるベルト部の局所的な収縮を防止できる。
【００２１】
かかるパンツ型吸収性物品であって、前記ベルト部において、複数の前記弾性部材が前記縦方向に並んで配されており、着用者の背側に位置する前記ベルト部は、着用者の腹側に位置する前記ベルト部よりも下方に突出する突出領域を有し、前記突出領域に配された前記弾性部材と前記厚さ方向に重複する前記接合領域の部位は、その他の前記弾性部材と前記厚さ方向に重複する前記接合領域の部位に比べて、前記横方向の長さが短いこと、を特徴とするパンツ型吸収性物品である。
【００２２】
このようなパンツ型吸収性物品によれば、背側の接合領域が小さくなり、吸収性本体は背側のベルト部の収縮の影響を受け難くなる。
【００２３】
かかるパンツ型吸収性物品であって、前記突出領域に配された複数の前記弾性部材のうち、下方の前記弾性部材と前記厚さ方向に重複する前記接合領域の部位は、上方の前記弾性部材と前記厚さ方向に重複する前記接合領域の部位に比べて、前記横方向の長さが短いこと、を特徴とするパンツ型吸収性物品である。
【００２４】
このようなパンツ型吸収性物品によれば、背側の接合領域がより小さくなり、吸収性本体は背側のベルト部の収縮の影響を受け難くなる。
【００２５】
かかるパンツ型吸収性物品であって、前記吸収性本体は吸収体を有し、着用者の腹側に位置する吸収体の部位と、着用者の背側に位置する吸収体の部位とのうちの少なくとも一方が、着用者の股間部に位置する前記吸収体の部位に比べて厚いこと、を特徴とするパンツ型吸収性物品である。
【００２６】
このようなパンツ型吸収性物品によれば、ベルト部と重複する吸収体の部位が厚く、剛性が高いため、吸収性本体はベルト部の収縮の影響をより受け難くなる。
【００２７】
以下、本発明に係るパンツ型吸収性物品として、大人向けのパンツ型使い捨ておむつを例に挙げて実施形態を説明する。但し、本発明に係るパンツ型吸収性物品は、大人向けのおむつに限定されず、例えば、乳幼児向けのおむつや、ショーツ型の生理用ナプキン等としても利用可能である。
【００２８】
＝＝＝第１実施形態＝＝＝
＜＜パンツ型使い捨ておむつの基本構成＞＞
図１は第１実施形態のパンツ型使い捨ておむつ１（以下「おむつ」という）の概略正面図である。図２は展開且つ伸長状態のおむつ１を肌側から見た概略平面図である。図３は図２のＡＡ線の概略断面図である。図４は図２のＢＢ線の概略断面図である。
【００２９】
なお、おむつ１の伸長状態とは、おむつ１に生じていた皺が実質的に視認されなくなる程におむつ１を伸長させた状態である。具体的には、おむつ１を構成する各部材（例えば後述する肌側シート２１，３１等）の寸法がその部材単体の寸法と一致又はそれに近い長さになるまで伸長させた状態である。
【００３０】
おむつ１は、パンツ型の状態において、縦方向と横方向と厚さ方向とを有し、胴回り開口部ＢＨと一対の脚回り開口部ＬＨとが形成されている。縦方向において着用者の胴側を上側とし、着用者の股下側を下側とする。厚さ方向とは、図３や図４に示すように、おむつ１を構成する各部材が積層された方向である。厚さ方向において、着用者に接する側を「肌側」とし、その反対側を「非肌側」とする。
【００３１】
おむつ１は、長方形状の３つの部材である吸収性本体１０及び一対のベルト部材２０，３０（本発明の一対のベルト部）を有する３ピースタイプのおむつである。一対のベルト部材２０，３０のうち着用者の腹側に位置するものを腹側ベルト部材２０といい、着用者の背側に位置するものを背側ベルト部材３０という。図２に示す展開状態において、腹側ベルト部材２０及び背側ベルト部材３０は、それらの長手方向がおむつ１の横方向に沿うように配されている。そして、吸収性本体１０の長手方向の一方側の端部に、腹側ベルト部材２０の横方向の中央部が配され、吸収性本体１０の長手方向の他方側の端部に、背側ベルト部材３０の横方向の中央部が配されている。
【００３２】
図２に示す展開状態のおむつ１において、吸収性本体１０の長手方向がおむつ１の縦方向に沿うように、吸収性本体１０が長手方向の略中央で二つ折りされ、腹側ベルト部材２０の横方向の両側部と背側ベルト部材３０の横方向の両側部とが溶着等で接合されることにより、図１に示すパンツ型状態のおむつ１となる。
【００３３】
吸収性本体１０は、吸収体４０と、吸収体４０よりも厚さ方向の肌側に配されたトップシート１１と、吸収体４０よりも厚さ方向の非肌側に配されたバックシート１２、及び、外装シート１３とを有する。トップシート１１は、液透過性シートであり、親水性のスパンボンド不織布や親水性のエアスルー不織布等を例示できる。バックシート１２は、液不透過性シートであり、ポリエチレンフィルム等を例示できる。外装シート１３としては、疎水性のＳＭＳ不織布等を例示できる。
【００３４】
厚さ方向に見たトップシート１１及びバックシート１２は、その平面形状及び大きさが吸収性本体１０と同じであり、吸収体４０の両面を覆っている。また、図４に示すように、外装シート１３の横方向の両側部は肌側に２回折り返されている。１回目の折り返しで２層になった外装シート１３の間に、糸ゴム等の立体ギャザー部用の弾性部材１４が長手方向に伸長した状態で固定されている。２回目の折り返しで外装シート１３の一部がトップシート１１よりも肌側に折り返され、肌側に起立可能な立体ギャザー部１５が形成されている。
【００３５】
吸収体４０は、尿等の排泄物を吸収して保持する吸収性コア４１と、吸収性コア４１を覆うコアラップシート４２とを有する。吸収性コア４１としては、高吸収性ポリマー（ＳＡＰ）を含むパルプ等の液体吸収性繊維が所定の形状（ここでは砂時計形状）に成形されたものを例示できる。コアラップシート４２としてはティッシュペーパーや不織布等の液透過性シートを例示できる。
【００３６】
腹側ベルト部材２０、及び、背側ベルト部材３０は、それぞれ図３に示すように、肌側シート２１，３１と、非肌側シート２２，３２と、複数の胴回り弾性部材２３，３３と、カバーシート２４，３４とを有する。腹側ベルト部材２０、及び、背側ベルト部材３０を構成するシートとしては、ＳＭＳ不織布等の柔軟なシートを例示できる。胴回り弾性部材２３，３３としては、ゴムやスパンデックス等の糸状の弾性部材を例示できるが、伸縮性不織布や伸縮性フィルム等のシート状の弾性部材であってもよい。
【００３７】
肌側シート２１，３１、及び、非肌側シート２２，３２は、吸収性本体１０よりも厚さ方向の非肌側に配されている。複数の胴回り弾性部材２３，３３は、肌側シート２１，３１と非肌側シート２２、３２の間に縦方向に並んで配されている。また、複数の胴回り弾性部材２３，３３は、横方向に伸縮可能なように、横方向に伸長した状態で肌側シート２１，３１と非肌側シート２２，３２の間に接着剤（例えばホットメルト接着剤等）で接合されている。
【００３８】
カバーシート２４，３４は、肌側シート２１，３１や非肌側シート２２，３２よりも縦方向の長さが短く、吸収性本体１０よりも厚さ方向の肌側に配され、吸収性本体１０の長手方向の端部を覆っている。
【００３９】
なお、ここでは３ピースタイプのおむつを例示したが、一対のベルト部を繋ぐ部位が設けられたおむつ、つまり、一対のベルト部が１つの部材で形成された２ピースタイプのおむつであってもよい。
【００４０】
＜＜ベルト部材２０，３０と吸収性本体１０の接合について＞＞
図５は弾性部材２３，３３と肌側シート２１，３１及び非肌側シート２２，３２とを接合している接着剤５０，５１の量の説明図である。図６はベルト部材２０，３０と吸収性本体１０が接合されている接合領域６０の説明図である。
【００４１】
おむつ１は、図３や図６に示すように、吸収性本体１０の長手方向の端部の非肌側面と、ベルト部材２０，３０が有する肌側シート２１，３１の肌側面とが、ホットメルト接着剤等の接着剤で接合されている一対の接合領域６０を有し、吸収性本体１０と一対のベルト部材２０，３０が一体化されている。
【００４２】
そのため、おむつ１では、ベルト部材２０，３０の横方向の収縮力、すなわち胴回り弾性部材２３，３３の横方向の収縮力が吸収性本体１０に伝達される。但し、弾性部材２３，３３の収縮力が吸収性本体１０に大きく伝達されてしまうと、ベルト部材２０，３０と重なる吸収性本体１０の部位に縦皺ができ、皺により生じた隙間から排泄物が漏れ易くなったり、着け心地が低下したりしてしまう。
【００４３】
そこで、本実施形態のおむつ１では、吸収性本体１０が接合されている肌側シート２１，３１の繊維の坪量を、非肌側シート２２，３２の繊維の坪量よりも大きくしている。例えば、肌側シート２１，３１の坪量を１５ｇ／ｍ2とするのに対して、非肌側シート２２，３２の坪量を１３ｇ／ｍ2にするとよい。肌側シート２１，３１の坪量を大きくすることで、肌側シート２１，３１のクッション性が高まり、胴回り弾性部材２３，３３の収縮力が肌側シート２１，３１にて緩衝され易くなる。よって、胴回り弾性部材２３，３３の収縮力が吸収性本体１０に伝達され難くなる。
【００４４】
また、図５に示すように、肌側シート２１，３１の坪量を大きくすることで、肌側シート２１，３１では繊維間の空隙が小さくなる。よって、肌側シート２１，３１と胴回り弾性部材２３，３３を接合する接着剤５１が含浸し難くなる。つまり、肌側シート２１，３１では接着剤が内部まで浸透し難いため、肌側シート２１，３１のクッション性が接着剤５１の剛性により阻害されてしまうことを抑制できる。
【００４５】
更に、本実施形態のおむつ１では、単位長さ当たりの胴回り弾性部材２３，３３と肌側シート２１，３１を接合している接着剤５０の量（例：ｇ／ｍ）が、単位長さ当たりの胴回り弾性部材２３，３３と非肌側シート２２，３２を接合している接着剤５１の量（例：ｇ／ｍ）よりも少なくなっている。そのため、肌側シート２１，３１のクッション性が接着剤５０の剛性により阻害されてしまうことをより一層抑制できる。
【００４６】
換言すると、本実施形態のおむつ１では、胴回り弾性部材２３，３３と肌側シート２１，３１を接合している接着剤５０の量が少ないため、肌側シート２１，３１と胴回り弾性部材２３，３３の接合強度が、非肌側シート２２，３２と胴回り弾性部材２３，３３の接合強度よりも弱くなっている。
【００４７】
以上のように、本実施形態のおむつ１では、肌側シート２１，３１のクッション性が高く、且つ、そのクッション性が接着剤５０で阻害され難いため、胴回り弾性部材２３，３３の収縮力が肌側シート２１，３１にて緩衝され易い。よって、吸収性本体１０はベルト部材２０，３０の収縮の影響を受け難く、吸収性本体１０に皺が生じ難くなっている。その結果、吸収性本体１０と着用者の密着性が高まり、排泄物の漏れが抑制され、着け心地も向上する。
【００４８】
また、肌側シート２１，３１は直接着用者に接する。そのため、肌側シート２１，３１側の接着剤５０の量を少なくすることで、肌側シート２１，３１の剛性が抑えられ、ベルト部材２０，３０の肌触りも向上する。
【００４９】
また、肌側シート２１，３１が積層不織布である場合、非肌側の層（胴回り弾性部材２３，３３側の層）の坪量を、肌側の層の坪量より大きくするとよい。例えば、肌側シート２１，３１がＳＭＳ不織布（スパンボンド／メルトブローン／スパンボンド不織布）である場合、肌側のＳ層の坪量を４．５ｇ／ｍ2、Ｍ層の坪量を１．５ｇ／ｍ2とするのに対して、非肌側のＳ層の坪量を９ｇ／ｍ2にするとよい。そうすることで、肌側シート２１，３１に接着剤５０がより含浸し難くなり、肌側シート２１，３１のクッション性が接着剤５０で阻害され難く、吸収性本体１０がベルト部材２０，３０の収縮の影響をより受け難くなる。
【００５０】
なお、本実施形態のおむつ１では、肌側シート２１，３１及び非肌側シート２２，３２に接着剤が塗布されるのではなく、例えばＶスロット方式によって胴回り弾性部材２３，３３に接着剤５０，５１が直接塗工されるものとする。そして、Ｖスロットにおける接着剤５０，５１の位置と胴回り弾性部材２３，３３の位置を調整することで、非肌側シート２２，３２に接合される側の胴回り弾性部材２３，３３の部位により多くの量の接着剤５１が塗工されるようにする。そうすることで、単位長さ当たりの胴回り弾性部材２３，３３と肌側シート２１，３１を接合している接着剤５０の量を、単位長さ当たりの胴回り弾性部材２３，３３と非肌側シート２２，３２を接合している接着剤５１の量よりも少なくできる。
【００５１】
また、肌側シート２１，３１と非肌側シート２２，３２の繊維の坪量（単位面積当たりの質量）の比較は周知の方法で行うとよい。例えば、対象のおむつ１のベルト部材２０，３０から肌側シート２１，３１と非肌側シート２２，３２を分離して適当な大きさに裁断し、肌側シート２１，３１のサンプルと非肌側シート２２，３２のサンプルを取得する。そして、各サンプルの質量及び面積を測定し、単位面積当たりの質量を算出して比較するとよい。
【００５２】
また、単位長さ当たりの胴回り弾性部材２３，３３と肌側シート２１，３１を接合している接着剤５０の量と、単位長さ当たりの胴回り弾性部材２３，３３と非肌側シート２２，３２を接合している接着剤５１の量との比較は、周知の方法で行うとよい。例えば、対象のおむつ１のベルト部材２０，３０を適当な大きさに裁断したサンプルを取得し、そのサンプルの肌側面及び非肌側面に、接着剤５０，５１が視認可能となる墨などの液体を塗布する。そして、胴回り弾性部材２３，３３の長手方向及びその直交方向に切った断面を電子顕微鏡で拡大して撮影する。撮影した画像に基づき、肌側シート２１，３１側の接着剤５０の量と非肌側シート２２，３２側の接着剤５１の量とを、目視で比較したり、面積を算出して比較したりするとよい。
【００５３】
その他、肌側シート２１，３１と胴回り弾性部材２３，３３の接合強度が、非肌側シート２２，３２と胴回り弾性部材２３，３３の接合強度よりも弱いことを、引張試験機を用いて確認してもよい。具体的には、対象のおむつ１のベルト部材２０，３０から、胴回り弾性部材２３，３３の長手方向に長いサンプルであり、１本の胴回り弾性部材２３，３３が含まれたサンプルを２つ取得する。そして、一方のサンプルから非肌側シート２２，３２を分離して、肌側シート２１，３１に胴回り弾性部材２３，３３が接合されているサンプルを作成するとともに、他方のサンプルから肌側シート２１，３１を分離して、非肌側シート２２，３２に胴回り弾性部材２３，３３が接合されているサンプルを作成する。そして、サンプル毎に、胴回り弾性部材２３，３３の長手方向が引張方向となるように、引張試験機のチャックの一端にシート（肌側シート２１，３１又は非肌側シート２２，３２）を取り付け、他端に胴回り弾性部材２３，３３を取り付ける。そして、所定の速度（例えば３００ｍｍ／ｍｉｎ）でサンプルを引っ張り、シートと胴回り弾性部材２３，３３を引き剥がす。このときの応力（最大応力や平均応力等）を、シートと胴回り弾性部材２３，３３の接合強度として比較するとよい。
【００５４】
＜＜接合領域６０について＞＞
図７Ａはベルト部材２０，３０に接着剤が塗布されている第１塗布領域６４の説明図であり、図７Ｂは吸収性本体１０に接着剤が塗布されている第２塗布領域６５の説明図である。本実施形態のおむつ１では、ベルト部材２０，３０に接着剤が塗布された第１塗布領域６４（図７Ａ）と、吸収性本体１０に接着剤が塗布された第２塗布領域６５（図７Ｂ）とが重ね合されることにより、接合領域６０（図６）が形成されている。なお、以下の説明では、着用者の腹側に位置する接合領域６０を腹側接合領域６１ともいい、着用者の背側に位置する接合領域６０を背側接合領域６２ともいう。
【００５５】
詳しく説明すると、第１塗布領域６４は、ベルト部材２０，３０の肌側シート２１，３１の肌側面に接着剤が塗布された領域であり、図７Ａに示すように、おむつ１の横方向に長い長方形状の領域である。背側ベルト部材３０では、おむつ１の縦方向に複数（ここでは６個）の第１塗布領域６４が微小な間隔で並んでいる。腹側ベルト部材２０では、縦方向に３個の第１塗布領域６４が並んでいる。但し、上方の２個の第１塗布領域６４１，６１２の間隔は微小であるが、上方から２番目の第１塗布領域６４２と３番目の第１塗布領域６４３の間隔が大きくなっている。なお、微小な間隔とは、例えば縦方向に並ぶ胴回り弾性部材２３，３３の間隔よりも小さい間隔である。
【００５６】
第２塗布領域６５は、吸収性本体１０の非肌側面に接着剤が塗布された領域であり、図７Ｂに示すように、おむつ１の縦方向に長い長方形状の領域である。吸収性本体１０の背側の端部では、おむつ１の横方向に複数（ここでは７個）の第２塗布領域６５が間隔を空けずに或いは微小な間隔で並んでいる。吸収性本体１０の腹側の端部でも、横方向に複数（ここでは７個）の第２塗布領域６５が間隔を空けずに或いは微小な間隔で並んでいる。但し、腹側では、横方向の両端の第２塗布領域６５１の縦方向の長さは背側の第２塗布領域６５と同等であるのに対して、中間の第２塗布領域６５２の縦方向の長さは背側の第２塗布領域６５よりも短く、且つ、吸収性本体１０の端に寄って配されている。
【００５７】
そのため、図６に示すように、背側接合領域６２は、第１塗布領域６４と第２塗布領域６５が重ね合されることで、その外形が略長方形状となり、その内部のほぼ全域が吸収性本体１０とベルト部材２０，３０の接合領域となる。
【００５８】
一方、腹側接合領域６１は、第１塗布領域６４と第２塗布領域６５が重ね合されることで、その外形が略長方形状となり、その内部に接着剤が塗布されていない略長方形状の領域が存在する。換言すると、腹側接合領域６１は、横方向に長さを有する一対の第１領域６１Ａと、一対の第１領域６１Ａの横方向の端部を繋ぎ、縦方向に長さを有する一対の第２領域６１Ｂとを有し、また、一対の第１領域６１Ａの間であり一対の第２領域６１Ｂの間に、接着剤が塗布されていない領域、つまり、吸収性本体１０と肌側シート２１，３１が接合されていない非接合領域６３を有する。
【００５９】
このように非接合領域６３が設けられることで、吸収性本体１０とベルト部材２０，３０の接合領域６０は小さくなり、吸収性本体１０はベルト部材２０，３０の収縮の影響を受け難くなる。一方、吸収性本体１０の上端部は、上方の第１領域６１Ａ１によりベルト部材２０，３０に接合され、ベルト部材２０，３０の下端部は、下方の第１領域６１Ａ２により吸収性本体１０に接合されている。これにより、おむつ１では、吸収性本体１０の上端部とベルト部材２０，３０の下端部のめくれが防止され、且つ、その間を非接合領域６３にすることで、吸収性本体１０の皺の発生が抑制されている。
【００６０】
また、接合領域６０が一対の第１領域６１Ａを有するだけでは、着用者がベルト部材２０，３０を把持しておむつ１を引き上げる際に、非接合領域６３において吸収性本体１０が撓み、吸収性本体１０を引き上げ難くなってしまう。これに対して、本実施形態のおむつ１には、一対の第１領域６１Ａを繋ぐ一対の第２領域６１Ｂが設けられている。そのため、おむつ１の縦方向に連続する第２領域６１Ｂによって、ベルト部材２０，３０から吸収性本体１０に引き上げ力が伝達され易く、吸収性本体１０をしっかりと引き上げることができる。また、第１領域６１Ａの横方向の端部に第２領域６１Ｂを配することで、吸収性本体１０がよれ難く、幅広の状態のまま引き上げられるため、吸収性本体１０が着用者に適切に密着する。
【００６１】
また、図６に示すように、腹側及び背側の接合領域６０（６１，６２）の横方向の端部（腹側の接合領域６１における第２領域６１Ｂ）と、立体ギャザー部用の弾性部材１４の長手方向の端部とが重複している。そのため、ベルト部材２０，３０から弾性部材１４に引き上げ力が伝達され易く、弾性部材１４の上昇に連動して吸収性本体１０全体も引き上げられ易くなっている。なお、図には弾性部材１４のうち伸縮性を発現する有効長部分のみを示し、図のように接合領域６０と弾性部材１４の有効長部分を重複させるとよい。
【００６２】
また、腹側接合領域６１では、第２領域６１Ｂを除く第１領域６１Ａの下端６１Ａｂよりも、第２領域６１Ｂの下端６１Ｂｂの方が下方に位置している。そのため、腹側接合領域６１のうち横方向の中央部では、縦方向の長さが短くなり、ベルト部２０の収縮の影響を受け難く、横方向の端部では、弾性部材１４と重複する長さが長くなり、吸収性本体１０が引き上げられ易くなっている。
【００６３】
なお、第１塗布領域６４及び第２塗布領域６５には、その全域に接着剤が塗布されていてもよいし、部分的に接着剤が塗布されていてもよい。部分的な接着剤の塗布パターンとしては、スパイラル形状等の線状の塗布パターンやドット等が並んだパターンを例示でき、第１塗布領域６４内では、おむつ１の横方向に連続するか或いは微小な間隔おきに接着剤が塗布され、第２塗布領域６５内では、おむつ１の縦方向に連続するか或いは微小な間隔おきに接着剤が塗布されているものとする。
【００６４】
また、図６に示すように、おむつ１の縦方向において、一対の第１領域６１Ａのうち下方の第１領域６１Ａ２の長さＬ１よりも、非接合領域６３の長さＬ２を長くすることが好ましい（Ｌ１＜Ｌ２）。そうすることで、非接合領域６３が大きくなり、吸収性本体１０とベルト部材２０，３０の接合領域６０が小さくなるため、吸収性本体１０はベルト部材２０，３０の収縮の影響をより受け難くなる。よって、吸収性本体１０の皺の発生をより抑制できる。また、ベルト部材２０，３０の下端部が仮にめくれてしまっても着け心地への影響は小さいため、下方の第１領域６１Ａ２の縦方向の長さＬ１を短くしても問題が生じ難い。
【００６５】
同様に、おむつ１の横方向において、第２領域６１Ｂの長さＬ４よりも、非接合領域６３の長さＬ５を長くすることが好ましい（Ｌ４＜Ｌ５）。図６では、非接合領域６３の長さＬ５が第２領域６１Ｂの長さＬ４の５倍程度の長さになっている。そうすることで、吸収性本体１０はベルト部材２０，３０の収縮の影響をより受け難くなる。
【００６６】
また、おむつ１の縦方向において、下方の第１領域６１Ａ２の長さＬ１よりも、上方の第１領域６１Ａ１の長さＬ３を長くすることが好ましい（Ｌ１＜Ｌ３）。吸収性本体１０の上端部が仮にめくれてしまうと、おむつ１内にて段差が生じる等して、着け心地への影響が大きい。そのため、上方の第１領域６１Ａ１の縦方向の長さＬ３を長くして、吸収性本体１０の上端部をベルト部材２０，３０にしっかりと接合することで、着け心地の低下を防止できる。換言すると、下方の第１領域６１Ａ２の縦方向の長さＬ１を、上方の第１領域６１Ａ１程に長くしないことで、非接合領域６３を大きくすることができ、吸収性本体１０はベルト部材２０，３０の収縮の影響をより受け難くなる。
【００６７】
また、本実施形態のおむつ１では腹側接合領域６１にのみ非接合領域６３が設けられているが、これに限らず、背側接合領域６２の中央にも非接合領域を設けてもよい。逆に、腹側接合領域６１に非接合領域６３を設けずに、背側接合領域６２にのみ非接合領域を設けてもよい。
【００６８】
但し、背側ベルト部材３０は腹側ベルト部材２０に比べると、着用者の就寝時や着席時において床や椅子等と着用者との間に挟まれて擦れ易く、吸収性本体１０から分離し易い。そこで、本実施形態のおむつ１のように、腹側接合領域６１には非接合領域６３を設け、背側接合領域６２には非接合領域を設けないようにするとよい（なお、この非接合領域とは、比較的に大きい領域であり、例えば横方向及び縦方向の長さが胴回り弾性部材３３の間隔よりも大きい領域である）。そうすることで、背側ベルト部材３０と吸収性本体１０の分離を防ぎつつ、吸収性本体１０は腹側ベルト部材２０の収縮の影響をより受け難くなる。
【００６９】
また、腹側接合領域６１は着用者の腹部の中心に位置するが、腹部は呼吸のためにへこんだり膨らんだりする。そのため、腹側接合領域６１に非接合領域６３を設けることで、着用者の腹部の中心に当接するベルト部材２０の剛性を出来る限り低くでき、呼吸時の違和感を軽減できる。
【００７０】
また、図７Ｂに示すように、吸収性本体１０には、横方向の両端の第２塗布領域６５１とその間の第２塗布領域６５２との間に接着剤が塗布されていない非塗布領域６６が、腹側及び背側にそれぞれ存在する。そのため、図６に示すように、腹側及び背側の接合領域６０（６１，６２）のうち非塗布領域６６に対応する横方向の位置Ｐでは、接着剤が塗布されていなかったり、ベルト部材２０，３０側にだけしか接着剤が塗布されていなかったりする。よって、接合領域６０の位置Ｐでは、横方向に隣接する領域に比べて接着剤の塗布量が少なく、剛性が低いため、ベルト部材２０，３０の折れ起点となり易い。したがって、ベルト部材２０，３０は着用者の胴回りに沿って丸く湾曲し易く、着け心地が向上する。特に腹部は呼吸のためにへこんだり膨らんだりするため、腹側ベルト部材２０が湾曲し易いことで、呼吸時の違和感をより軽減できる。
【００７１】
また、おむつ１の厚さ方向に見て接合領域６０と重複しない胴回り弾性部材２３，３３は、接合領域６０と重複する胴回り弾性部材２３，３３に比べて横方向に収縮し易い。そのため、仮に、吸収性本体１０と重複する胴回り弾性部材のうち（図６の２３ａ〜２３ｉ，３３ａ〜３３ｉ）の一部は接合領域６０と重複するが、一部は接合領域６０と重複しないとすると、ベルト部材２０，３０の一部が局所的に収縮し、ベルト部材２０，３０がよれ易くなってしまう。
【００７２】
そこで、図６に示すように、厚さ方向に吸収性本体１０と重複する全ての胴回り弾性部材（２３ａ〜２３ｉ，３３ａ〜３３ｉ）が、接合領域６０と厚さ方向に重複していることが好ましい。換言すると、おむつ１の縦方向において、接合領域６０の上端６０ａが、吸収性本体１０と重複する最も上方の胴回り弾性部材２３ａ，３３ａと一致する位置或いはそれよりも上方に位置し、また、接合領域６０の下端６０ｂが、吸収性本体１０と重複する最も下方の胴回り弾性部材２３ｉ，３３ｉと一致する位置或いはそれよりも下方に位置することが好ましい。そうすることで、ベルト部材２０，３０の局所的な収縮によるよれを防ぎ、着用者の胴回りをしっかりと被覆できる。また、外観の低下、及び、着用時の違和感を防止できる。
【００７３】
また、図３に示すように、吸収体４０の長手方向の部位４０Ａ〜４０Ｃに応じて、吸収体４０の厚さを異ならせてもよい。例えば、着用者の股間部に位置する吸収体４０の股間部４０Ｂの厚さＴ２よりも、着用者の腹側に位置する吸収体４０の腹側部４０Ａの厚さＴ１や、着用者の背側に位置する吸収体４０の背側部４０Ｃの厚さＴ３を厚くするとよい（Ｔ２＜Ｔ１，Ｔ３）。そうすることで、ベルト部材２０，３０と厚さ方向に重なる吸収性本体１０の部位が厚くなり、剛性が高まるため、ベルト部材２０，３０の収縮による吸収性本体１０の皺の発生を抑制できる。このように吸収性本体１０の肌側面の皺の発生を抑制することで、皺に沿って排泄物が流れて漏れてしまうことを抑制できる。
【００７４】
特に、本実施形態のおむつ１の場合、背側接合領域６２は非接合領域を有さないので、吸収体４０の腹側部４０Ａの厚さＴ１よりも、吸収体４０の背側部４０Ｂの厚さＴ３をより厚くするとよい（Ｔ２＜Ｔ１＜Ｔ３）。そうすることで、吸収性本体１０の腹側の端部に比べてベルト部材３０の影響を受け易い吸収性本体１０の背側の端部の剛性が高まるため、ベルト部材３０の収縮による吸収性本体１０の皺の発生をより確実に抑制できる。
【００７５】
なお、吸収体４０の厚さの比較は周知の方法で行うとよい。例えば、対象のおむつ１から吸収体４０を分離し、ミツトヨ（株）製のダイアルシックネスゲージ（ＩＤ−Ｃ１０１２Ｃ）又はそれと同等のものを使用し、適当な接触圧（例えば３ｇｆ／ｃｍ2）にて吸収体４０の対象部位４０Ａ〜４０Ｃをそれぞれ加圧して測定し、比較するとよい。その他、目視で比較したり、吸収体４０を長手方向に切った断面を撮影した画像を用いて比較したりしてもよい。
【００７６】
＝＝＝第２実施形態＝＝＝
図８は第２実施形態のおむつ１の接合領域６０の説明図である。第２実施形態のおむつ１では、背側ベルト部材３０が、腹側ベルト部材２０よりも下方に突出する突出領域７０を有する。突出領域７０の横方向の側端７０ａは縦方向の下方に向かって横方向の内側に傾斜している。この突出領域７０により着用者の臀部が覆われる。また、腹側ベルト部材２０と背側ベルト部材３０の形状が異なるため、おむつ１が前後逆に装着されてしまうことを防止できる。
【００７７】
第２実施形態の背側ベルト部材３０には、横方向に沿って配された胴回り弾性部材３３に加えて、突出領域７０の下端部に沿って弾性部材７１が縦方向に複数（ここでは３本）並んで配されている。この突出領域７０の弾性部材７１（以下、突出領域弾性部材７１）も、胴回り弾性部材３３と同様に、横方向に伸縮可能なように、肌側シート３１と非肌側シート３２の間に接着剤で接合されている。
【００７８】
そして、背側ベルト部材３０が有する弾性部材３３，７１のうち、厚さ方向に吸収性本体１０と重複する全ての胴回り弾性部材３３ａ〜３３ｉ及び突出領域弾性部材７１ａ〜７１ｃが、背側接合領域６２と厚さ方向に重複していることが好ましい。そうすることで、背側ベルト部材３０の局所的な収縮によるよれを防ぎ、着用者の胴回り及び臀部をしっかりと被覆できる。
【００７９】
また、突出領域弾性部材７１ａ〜７１ｃと厚さ方向に重複する背側接合領域６２の下方部位６２Ａの横方向の長さＬ６，Ｌ７が、胴回り弾性部材３３ａ〜３３ｉと厚さ方向に重複する背側接合領域６２の上方部位６２Ｂの横方向の長さＬ８に比べて短いことが好ましい（Ｌ６，Ｌ７＜Ｌ８）。
【００８０】
更に、突出領域弾性部材７１ａ〜７１ｃのうち、下方の弾性部材７１ｂ，７１ｃと厚さ方向に重複する背側接合領域６２の部位の横方向の長さＬ６が、上方の突出領域弾性部材７１ａと厚さ方向に重複する背側接合領域６２の部位の横方向の長さＬ７に比べて短いことが好ましい（Ｌ６＜Ｌ７）。また、背側接合領域６２の下方部位６２Ａが、吸収性コア４１の外形線と交差していないことが好ましい、つまり、吸収性コア４１よりも横方向の外側に突出していないことが好ましい。
【００８１】
そうすることで、第２実施形態のおむつ１では背側ベルト部材３０が大きいが、できる限り背側接合領域６２を小さくでき、背側ベルト部材３０と吸収性本体１０が接合されていない領域を大きくできる。よって、吸収性本体１０は背側ベルト部材３０の収縮の影響を受け難くなり、吸収性本体１０の皺の発生を抑制でき、排泄物の漏れを抑制できる。また、仮に背側ベルト部材３０の下端部がめくれてしまっても、着け心地への影響は小さいため、背側接合領域６２の下方の部位の横方向の長さを短くしても問題が生じ難い。換言すると、仮に背側ベルト部材３０の下端部がめくれてしまっても、背側接合領域６２の上方の部位の横方向の長さは長く、背側ベルト部材３０の上方の部位は吸収性本体１０にしっかりと接合されているため、背側ベルト部材３０と吸収性本体１０の分離の進行を防止できる。
【００８２】
また、図８に示す吸収性コア４１は砂時計形状であり、長手方向の中央部が幅方向の内側に括れている。この場合、吸収性本体１０の横方向の両側部は、着用者の脚の挟み込みにより、吸収性コア４１の側辺に沿って肌側に起立し易い。そのため、上記のように、吸収性コア４１の括れにともなって、背側接合領域６２も長手方向の中央側に向かって段階的に横方向の長さを短くするとよい。そうすることで、着用者の脚の挟み込みにより起立する吸収性本体１０の横方向の両側部に連動して突出領域７０が横方向の内側に入り込んでしまうことを防止でき、突出領域７０が臀部を覆う状態が維持される。
【００８３】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【００８４】
１  おむつ（パンツ型吸収性物品）、ＢＨ  胴回り開口部、ＬＨ  脚回り開口部、
１０  吸収性本体、１１  トップシート、１２  バックシート、１３  外装シート、
１４  立体ギャザー部用の弾性部材、１５  立体ギャザー部、
２０  腹側ベルト部材（ベルト部）、２１  肌側シート、２２  非肌側シート、
２３  胴回り弾性部材、２４  カバーシート、
３０  背側ベルト部材（ベルト部）、３１  肌側シート、３２  非肌側シート、
３３  胴回り弾性部材（弾性部材）、３４  カバーシート、
４０  吸収体、４１  吸収性コア、４２  コアラップシート、
５０  接着剤、５１  接着剤、
６０  接合領域、６１  腹側接合領域、６１Ａ  第１領域、
６１Ｂ  第２領域、６２  背側接合領域、６３  非接合領域、
６４  第１塗布領域、６５  第２塗布領域、
７０  突出領域、７１  突出領域弾性部材（弾性部材）
【図１】
2018102654.tif 000003
【図２】
2018102654.tif 000004
【図３】
2018102654.tif 000005
【図４】
2018102654.tif 000006
【図５】
2018102654.tif 000007
【図６】
2018102654.tif 000008
【図７】
2018102654.tif 000009
【図８】
2018102654.tif 000010